(57)【要約】【課題】表示パターンの輝度ムラを抑制することができる表示装置および表示方法を提供すること。【解決手段】一つの実施形態によれば、表示装置が提供される。実施形態に係る表示装置は、蛍光表示部と表示切替部とを備える。蛍光表示部は、所定の表示パターンを蛍光表示する。表示切替部は、表示パターンの表示とかかる表示パターンにおける輪郭部分の輪郭パターンの表示とを所定周期内で切替える。【選択図】図１
2017015953.tif 000002
【特許請求の範囲】
【請求項１】
所定の表示パターンを蛍光表示する蛍光表示部と、
前記表示パターンの表示と当該表示パターンにおける輪郭部分の輪郭パターンの表示とを所定周期内で切替える表示切替部と
を備えることを特徴とする表示装置。
【請求項２】
優先度が異なる複数の表示グループの中から前記表示パターンが属する表示グループを決定する表示グループ決定部
を備え、
前記表示切替部は、
優先度が大きい前記表示グループほど前記所定周期内における表示時間を大きくすること
を特徴とする請求項１に記載の表示装置。
【請求項３】
前記表示グループを表示する表示時間の割り当てを前記所定周期内において設定する表示時間設定部
を備え、
前記表示切替部は、
前記優先度が大きい前記表示グループの表示を前記優先度が小さい前記表示グループの表示に割り当てられた表示時間内でも行うこと
を特徴とする請求項２に記載の表示装置。
【請求項４】
前記表示切替部は、
前記所定周期が２０ｍｓｅｃ以下となるように切替えを行うこと
を特徴とする請求項１、２または３に記載の表示装置。
【請求項５】
所定の表示パターンを蛍光表示するとともに、表示領域のうち他の領域よりも輝度が小さい暗輝度領域を有する蛍光表示部と、
前記表示パターンの表示と、当該表示パターンおよび前記暗輝度領域が重なる部分である暗輝度パターンの表示とを所定周期内で切替える表示切替部と
を備えることを特徴とする表示装置。
【請求項６】
所定の表示パターンを蛍光表示させる表示工程と、
前記表示パターンの表示と当該表示パターンにおける輪郭部分の輪郭パターンの表示とを所定周期内で切替える表示工程と
を含むことを特徴とする表示方法。
【発明の詳細な説明】
【技術分野】
【０００１】
本発明は、表示装置および表示方法に関する。
【背景技術】
【０００２】
従来、各種データに対応した所望の表示パターンを表示する表示装置として、表示パターンを蛍光表示する蛍光表示部（例えば、蛍光表示管）を備えた表示装置がある（例えば、特許文献１参照）。
【先行技術文献】
【特許文献】
【０００３】
【特許文献１】特開２０１３−１７４６７４号公報
【発明の概要】
【発明が解決しようとする課題】
【０００４】
しかしながら、上記した従来技術に係る表示装置は、発光する表示パターンのうち一部が所定の輝度で発光しないことがある。そのため、発光する表示パターンに輝度ムラが生じ、蛍光表示部に表示される表示パターンが見にくくなる問題が生じていた。
【０００５】
本発明は、上記に鑑みてなされたものであって、表示パターンの輝度ムラを抑制することができる表示装置および表示方法を提供することを目的とする。
【課題を解決するための手段】
【０００６】
上記課題を解決し、目的を達成するために、本発明は、表示装置において、蛍光表示部と表示切替部とを備える。蛍光表示部は、所定の表示パターンを蛍光表示する。表示切替部は、表示パターンの表示とかかる表示パターンにおける輪郭部分の輪郭パターンの表示とを所定周期内で切替える。
【発明の効果】
【０００７】
本発明によれば、蛍光表示される表示パターンの輝度ムラを抑制することができる。
【図面の簡単な説明】
【０００８】
【図１】図１は、第１の実施形態に係る表示装置の概要を示す図である。
【図２】図２は、第１の実施形態に係る表示装置の概略構成を示すブロック図である。
【図３】図３は、第１の実施形態に係る表示装置が実行する表示動作の概要を示すタイムチャートである。
【図４】図４は、第１の実施形態に係る表示装置が実行する処理手順の概要を示すフローチャートである。
【図５】図５は、第２の実施形態に係る表示装置の構成を示すブロック図である。
【図６】図６は、第２の実施形態に係る表示装置が実行する表示動作の概要を示すタイムチャートである。
【図７】図７は、第２の実施形態に係る表示装置の表示方法を示す説明図である。
【図８】図８は、第２の実施形態に係る表示装置が実行する処理手順の概要を示すフローチャートである。
【図９】図９は、第２の実施形態に係る表示装置が実行する他の処理手順の概要を示すタイムチャートである。
【図１０】図１０は、第２の実施形態に係る表示装置の他の表示方法を示す説明図である。
【図１１】図１１は、第２の実施形態に係る表示装置が実行する他の処理手順の概要を示すタイムチャートである。
【発明を実施するための形態】
【０００９】
以下、添付図面を参照して、本願の開示する表示装置および表示方法の実施形態を詳細に説明する。まず、本発明に係る表示装置の概要について図１を用いて説明した後に、本発明に係る表示装置についての実施形態を図２〜図４を用いて説明する。
【００１０】
（第１の実施形態）
図１は、第１の実施形態に係る表示装置の概要を示す図である。実施形態に係る表示装置は、蛍光表示される各種データに対応した所望の表示パターンと蛍光表示される表示パターンにおける輪郭部分の輪郭パターンとを、フリッカーとして視認されない周期で交互に切替える。これにより、かかる表示装置は、蛍光表示される表示パターン全体の輝度を均一に保つことができる。
【００１１】
すなわち、実施形態に係る表示装置は、輪郭部分の輝度が低下した所望の表示パターンの表示と表示パターンにおける輪郭部分の輪郭パターンの表示とを所定周期内で切替えることで、表示パターン全体の輝度を均一に保つことができる。
【００１２】
以下、具体的に説明する。マトリクス状に配置されたドットの蛍光体を発光させて所望の表示パターンを表示する蛍光表示部を備える一般的な表示装置は、発光する表示パターンのうち輪郭部分のドットの蛍光体が本来の輝度で発光しないことがある。
【００１３】
具体的には、かかる表示装置は、フィラメント（カソード）から放出させた熱電子がアノードに形成されたオンドットの蛍光体に衝突することで所望の表示パターンを表示する。
【００１４】
しかし、発光する表示パターンのうち輪郭部分のドットの蛍光体、つまり、オフドットの蛍光体に隣接するオンドットの蛍光体は、オフドットの蛍光体との間で電位の干渉が生じて本来の輝度で発光しないことがある。
【００１５】
そのため、発光する表示パターンに輝度ムラが生じ、蛍光表示部に表示される各種データに対応した所望の表示パターンが見にくくなる。
【００１６】
なお、上述した問題は、フィラメントと蛍光体との間にフィラメントから放出された熱電子を加速するためのグリットメッシュを設けることで輝度ムラを抑制することができる。
【００１７】
しかし、グリットメッシュを備える蛍光表示部は、グリットメッシュに不必要な無効電流が流れ込むため、発光する表示パターンの輝度が低下してしまう。
【００１８】
また、かかる蛍光表示部を、例えば、車両用のヘッドアップディスプレイに適用した場合、蛍光表示部から発せられた表示パターンをフロントガラス等の対象物に拡大投影した時にグリットメッシュのメッシュが対象物に投影されて見えてしまう。
【００１９】
そこで、実施形態に係る表示装置は、図１に示すように、ドットの蛍光体１１がマトリクス状に配置された蛍光表示部１０において、所望の表示パターン（図１（ａ））と、かかる表示パターンにおける輪郭部分の輪郭パターン（図１（ｂ））とを表示させる。
【００２０】
具体的には、かかる表示装置は、図１（ａ）に示す表示パターンの表示と図１（ｂ）に示す輪郭パターンの表示とを所定周期内で切替えることで、図１（ｃ）に示すように、全体の輝度が均一となった表示パターンを視認させることとした。
【００２１】
なお、上記した所定周期をＴ秒とし、所望の表示パターンの表示時間をａ秒、輪郭パターンの表示時間をｂ秒とした場合、「Ｔ≧ａ＋ｂ」となるように両パターンを切り替える。すなわち、所定周期内に両パターンともに表示しない期間を設けてもよい。
【００２２】
この場合、かかる期間をΔｔとすると、「Ｔ≧ａ＋ｂ＋Δｔ」となるように両パターンの表示を切替える。つまり、例えば、両パターンの表示時間の間にかかる期間Δｔを設けることで、各パターンをより確実に分けて表示することができる。また、「ａ」と「ｂ」との比率については、輪郭部分の輝度低下に応じて適宜定めることができる。
【００２３】
以下では、図１を用いて説明した第１の実施形態に係る表示装置について詳細に説明する。まず、第１の実施形態に係る表示装置の構成について図２を用いて説明する。図２は、第１の実施形態に係る表示装置１の概略構成を示すブロック図である。なお、図２では、表示装置１の特徴点を説明するために必要な構成要素についてのみ記載している。
【００２４】
図２に示すように、第１の実施形態に係る表示装置１は、蛍光表示部１０と、制御部２と、記憶部３とを備える。また、制御部２は、表示切替部２０と、輪郭抽出部２１とを備える。また、記憶部３は、文字データや画像データなどの各種データ３０と、表示パターン３１と、輪郭パターン３２とを記憶する。
【００２５】
蛍光表示部１０は、図１に示すように、マトリクス状に配置されたドットの蛍光体１１のうち、記憶部３に記憶されている表示パターン３１に対応して電圧が印加されたドット（オンドット）の蛍光体１１にフィラメントから放出された熱電子が衝突することで、所望の表示パターンを発光表示する。
【００２６】
表示切替部２０は、記憶部３に記憶されている各種データ３０に基づいて所望の表示パターン３１を生成し、かかる表示パターン３１を記憶部３に記憶する。
【００２７】
輪郭抽出部２１は、記憶部３に記憶されている表示パターン３１から表示パターン３１における輪郭部分の輪郭パターン３２を抽出し、かかる輪郭パターン３２を記憶部３に記憶する。
【００２８】
また、表示切替部２０は、記憶部３に記憶されている表示パターン３１と輪郭パターン３２とを蛍光表示部１０に表示し、表示パターン３１の表示とかかる表示パターン３１における輪郭部分の輪郭パターン３２の表示とを所定周期内で切替える。
【００２９】
ここで、所定周期とは、所望の表示パターン３１の表示とかかる表示パターン３１における輪郭部分の輪郭パターン３２の表示とを、フリッカーとして視認されないで交互に切替えることができる周期である。具体的には、かかる所定周期は、例えば、２０ｍｓｅｃ以下である。
【００３０】
また、表示切替部２０は、所望の表示パターン３１の表示時間と輪郭パターン３２の表示時間との比率について、輪郭部分の輝度低下に応じて適宜定める。なお、表示パターン３１の表示時間とは、蛍光表示部１０における表示パターン３１の表示開始時から表示停止時までの時間である。また、輪郭パターン３２の表示時間とは、蛍光表示部１０における輪郭パターン３２の表示開始時から表示停止時までの時間である。
【００３１】
すなわち、表示切替部２０は、蛍光表示部１０に表示される各種データ３０に対応する表示パターン３１全体の輝度が均一となるように、表示パターン３１の表示時間および輪郭パターン３２の表示時間の時間配分を行う。
【００３２】
以下、図３を参照しながら表示パターン３１の表示と輪郭パターン３２の表示との切替えについて具体的に説明する。図３は、第１の実施形態に係る表示装置１が実行する表示動作の概要を示すタイムチャートである。
【００３３】
図３に示すように、表示切替部２０は、上記した所定周期をＴ秒とし、所望の表示パターン３１の表示時間をａ秒、輪郭パターン３２の表示時間をｂ秒とした場合、「Ｔ≧ａ＋ｂ」となるように両パターンの表示を切り替える。
【００３４】
この例では、表示装置１は、蛍光表示部１０における表示パターン３１の表示の終了と同時に蛍光表示部１０における輪郭パターン３２の表示を開始している。
【００３５】
なお、他の例としては、表示装置１は、蛍光表示部１０における表示パターン３１の表示が終了したあと、所定の時間が経過してから蛍光表示部１０における輪郭パターン３２の表示を開始してもよい。
【００３６】
なお、この場合、表示切替部２０は、両パターンをともに表示しない期間をΔｔ秒とすると、「Ｔ≧ａ＋ｂ+Δｔ」となるように両パターンを切替える。
【００３７】
次に、上記のように構成された表示装置１における一連の表示方法について図４を参照しながら説明する。図４は、実施形態に係る表示装置１が実行する処理手順の概要を示すフローチャートである。
【００３８】
図４に示すように、制御部２は、まず、記憶部３に記憶されている各種データ３０の中から、例えば、文字データである「Ｆ」を選択して表示する場合、「Ｆ」の文字データ３０から「Ｆ」の表示パターン３１を生成し、かかる「Ｆ」の表示パターン３１を記憶部３に記憶する（ステップＳ１０１）。
【００３９】
次に、制御部２は、記憶部３に記憶されている「Ｆ」の表示パターン３１から「Ｆ」の表示パターン３１における輪郭部分の輪郭パターン３２を抽出し、かかる「Ｆ」の輪郭パターン３２を記憶部３に記憶する（ステップＳ１０２）。
【００４０】
そして、制御部２は、「Ｆ」の表示パターン３１全体の輝度が均一となるように、「Ｆ」の表示パターン３１の表示時間および「Ｆ」の輪郭パターン３２の表示時間の時間配分を行う（ステップＳ１０３）。
【００４１】
続いて、制御部２は、記憶部３に記憶されている「Ｆ」の表示パターン３１を蛍光表示部１０に表示し（図１（ａ）参照、ステップＳ１０４）、時間配分された表示時間に基づいて蛍光表示部１０における「Ｆ」の表示パターン３１の表示をａ秒継続する（ステップＳ１０５）。
【００４２】
ここで、「Ｆ」の表示パターン３１のうち「Ｆ」の輪郭部分の輝度が低下している（図１（ａ）参照）。つまり、「Ｆ」の表示パターン３１のうち輪郭部分のオンドットの蛍光体１１は、隣接するオフドットの蛍光体１１との間で電位の干渉が生じて輝度が低下している。
【００４３】
次に、制御部２は、「Ｆ」の表示パターン３１の表示時間（ａ秒）が終了すると、記憶部３に記憶されている「Ｆ」の輪郭パターン３２の表示に切替えて、かかる「Ｆ」の輪郭パターン３２を蛍光表示部１０に表示する（図１（ｂ）参照、ステップＳ１０６）。ここで、蛍光表示部１０に表示される「Ｆ」の輪郭パターン３２の輝度は本来の輝度を有している（図１（ｂ）参照）。
【００４４】
続いて、制御部２は、時間配分された表示時間に基づいて蛍光表示部１０における「Ｆ」の輪郭パターン３２の表示をｂ秒継続する（ステップＳ１０７）。
【００４５】
次に、制御部２は、蛍光表示部１０における表示終了の指示が有るか無いかを判断する（ステップＳ１０８）。そして、制御部２は、蛍光表示部１０における表示終了の指示がない（ステップＳ１０８；Ｎｏ）と判断する間はステップＳ１０４に戻ってステップＳ１０４からステップＳ１０８の動作を繰り返し行う。
【００４６】
これにより、表示装置１は、蛍光表示部１０において全体の輝度が均一となった「Ｆ」の表示パターン３１を視認させることができる（図１（ｃ）参照）。
【００４７】
また、制御部２は、ステップ１０８において蛍光表示部１０における表示終了の指示がある（ステップＳ１０８；Ｙｅｓ）と判断した場合には、蛍光表示部１０における表示を終了する。
【００４８】
上述したように第１の実施形態に係る表示装置１は、蛍光表示部１０において各種データ３０に対応した所望の表示パターン３１の表示とかかる表示パターン３１における輪郭部分の輪郭パターン３２の表示とを、フリッカーとして視認されない周期で交互に切替える。
【００４９】
これにより、実施形態に係る表示装置１は、蛍光表示部１０に表示される各種データ３０に対応する所望の表示パターン３１の輝度ムラを抑制することができる。
【００５０】
なお、上述した第１の実施形態に係る表示装置１は、所望の表示パターン３１の表示とかかる表示パターン３１における輪郭部分の輪郭パターン３２の表示とを交互に切替えているが、この形態に限られない。
【００５１】
他の形態としては、表示装置１は、所望の表示パターンの表示と、かかる表示パターンおよび蛍光表示部１０の表示領域のうち他の領域よりも輝度の小さいフィラメントが重なる部分である暗輝度パターンの表示とを交互に切替えるようにしてもよい。
【００５２】
具体的には、表示装置１は、蛍光表示部１０の表示領域に対向して網目状のフィラメントを備える。そのため、蛍光表示部１０の表示領域のうちフィラメントと重なる部分は他の領域よりも輝度が小さくなる場合がある。
【００５３】
このように、所望の表示パターンの表示と、かかる表示パターンおよび表示領域のうち他の領域よりも輝度の小さいフィラメントが重なる部分である暗輝度パターンの表示とを交互に切替えることで、表示パターンの輝度ムラを抑制することができる。
【００５４】
なお、かかる形態では、制御部２は、蛍光表示部１０に表示される各種データ３０に対応する所望の表示パターンからフィラメントが重なる部分である暗輝度パターンを抽出する。
【００５５】
（第２の実施形態）
次に、第２の実施形態に係る表示装置について説明する。かかる表示装置は、優先度が異なる複数の表示グループの中から各種データに対応した複数の表示パターンが属する表示グループを決定し、優先度が大きい表示グループほど所定周期内における表示時間を大きくする構成を備える。
【００５６】
図５は、第２の実施形態に係る表示装置１ａの構成を示すブロック図である。なお、図５に示す構成要素のうち、図２に示す構成要素と同じ構成要素については、図２に示す符号と同一の符号を付すことにより、ここではその説明を省略する。
【００５７】
図５に示すように、第２の実施形態に係る表示装置１ａは、表示グループ決定部２２と、表示時間設定部２３とを備える。
【００５８】
表示グループ決定部２２は、蛍光表示部１０に表示される各種データ３０に対応した複数の表示パターン３１の中から輝度に応じて複数の表示グループ３３を決定し、かかる複数の表示グループ３３を記憶部３ａに記憶する。
【００５９】
表示時間設定部２３は、記憶部３ａに記憶されている決定された複数の表示グループ３３を表示する表示時間の割り当てを所定周期内において設定する。
【００６０】
また、第２の実施形態では、表示切替部２０は、蛍光表示部１０に表示される決定された複数の表示グループ３３の切替えを行う。
【００６１】
以下、図６を参照しながら複数の表示グループの表示の切替えについて具体的に説明する。図６は、第２の実施形態に係る表示装置１ａが実行する表示動作の概要を示すタイムチャートである。
【００６２】
図６に示すように、表示切替部２０は、フリッカーとして視認されないで交互に切替えることができる所定周期をＴ秒とし、表示グループＡの表示時間をａ秒、表示グループＢの表示時間をｂ秒とした場合、「Ｔ≧ａ＋ｂ」となるように両グループＡ，Ｂの表示を切り替える。
【００６３】
また、表示切替部２０は、例えば、表示グループＡの表示を表示グループＢの表示よりも強調したい場合、「ａ＞ｂ」となるように表示グループＡ，Ｂの表示を行う。つまり、表示切替部２０は、優先度が大きい表示グループほど所定周期Ｔ内における表示時間を大きくする。
【００６４】
また、この例では、表示装置１ａは、蛍光表示部１０における表示グループＡの表示の終了と同時に蛍光表示部１０における表示グループＢの表示を開始している。
【００６５】
なお、他の例としては、表示装置１ａは、蛍光表示部１０における表示グループＡの表示が終了したあと、所定の時間が経過してから蛍光表示部１０における表示グループＢの表示を開始してもよい。
【００６６】
なお、この場合、表示切替部２０は、両グループＡ，Ｂをともに表示しない期間をΔｔ秒とすると、「Ｔ≧ａ＋ｂ+Δｔ」となるように両グループＡ，Ｂの表示を切替える。
【００６７】
次に、上記のように構成された表示装置１ａにおける一連の表示方法について図７および図８を参照しながら説明する。図７は、第２の実施形態に係る表示装置１ａの表示方法を示す説明図である。図８は、第２の実施形態に係る表示装置１ａが実行する処理手順の概要を示すフローチャートである。
【００６８】
ここでは、図７に示すように、蛍光表示部１０に「５０」の表示パターンと「ｋｍ/ｈ」の表示パターンと「ＤＥＭＯ」の表示パターンとが表示される場合について説明する。
【００６９】
図７に示すように、制御部２ａは、まず、「５０」の表示パターンと「ｋｍ/ｈ」の表示パターンと「ＤＥＭＯ」の表示パターンの中から輝度に応じて表示グループを決定する。この例では、「５０」の表示パターンを表示グループＡとし、「ｋｍ/ｈ」の表示パターンおよび「ＤＥＭＯ」の表示パターンを表示グループＢとして決定する（ステップＳ２０１）。
【００７０】
次に、制御部２ａは、決定した各表示グループＡ，Ｂの中から強調したい表示グループを選択する（ステップＳ２０２）。この例では、制御部２ａは、決定した各表示グループＡ，Ｂの中から表示グループＡ（「５０」の表示パターン）を選択する。
【００７１】
そして、制御部２ａは、各表示グループＡ，Ｂの表示時間を設定する。この例では、制御部２ａは、表示グループＡの表示を表示グループＢの表示よりも強調したいため、「表示グループＡの表示時間（ａ秒）＞表示グループＢの表示時間（ｂ秒）」となるように設定する（ステップＳ２０３）。
【００７２】
なお、制御部２ａは、表示グループＡの表示時間（ａ秒）と表示グループＢの表示時間（ｂ秒）との合計がフリッカーとして視認されない周期である、例えば、２０ｍｓｅｃ以下となるように表示時間を配分する。
【００７３】
続いて、制御部２ａは、表示グループＡを蛍光表示部１０に表示し（ステップＳ２０４）、時間配分された表示時間に基づいて蛍光表示部１０における表示グループＡの表示、つまり「５０」の表示パターンの表示をａ秒継続する（ステップＳ２０５）。
【００７４】
次に、制御部２ａは、表示グループＡの表示時間（ａ秒）が終了すると、表示グループＢの表示に切替えて、かかる表示グループＢを蛍光表示部１０に表示する（ステップＳ２０６）。
【００７５】
そして、制御部２ａは、時間配分された表示時間に基づいて蛍光表示部１０における表示パターンＢの表示、つまり「ｋｍ/ｈ」の表示パターンの表示および「ＤＥＭＯ」の表示パターンの表示をｂ秒継続する（ステップＳ２０７）。
【００７６】
次に、制御部２ａは、蛍光表示部１０における表示終了の指示が有るか無いかを判断する（ステップＳ２０８）。そして、制御部２ａは、蛍光表示部１０における表示終了の指示がない（ステップＳ２０８；Ｎｏ）と判断する間はステップＳ２０４に戻ってステップＳ２０４からステップＳ２０８の動作を繰り返し行う。
【００７７】
これにより、表示装置１ａは、蛍光表示部１０において「５０」の表示パターンを「ｋｍ/ｈ」の表示パターンおよび「ＤＥＭＯ」の表示パターンよりも強調して表示することができる（図７参照）。
【００７８】
また、制御部２ａは、ステップＳ２０８において蛍光表示部１０における表示終了の指示がある（ステップＳ２０８；Ｙｅｓ）と判断した場合には、蛍光表示部１０における表示を終了する。
【００７９】
上述したように第２の実施形態に係る表示装置１ａは、蛍光表示部１０に表示される複数の表示パターンの中から輝度に応じて表示グループを決定し、強調したい表示グループほど所定周期内における表示時間を大きくする。
【００８０】
これにより、実施形態に係る表示装置１ａは、蛍光表示部１０に表示される表示グループのうち優先度の高い表示グループを強調して表示することができる。
【００８１】
なお、上述した第２の実施形態に係る表示装置１ａは、蛍光表示部１０における表示グループＡの表示と蛍光表示部１０における表示グループＢの表示とを所定期間内で切替えているが、この形態に限られない。
【００８２】
他の形態としては、表示装置１ａは、優先度が大きい表示グループの表示を優先度の小さい表示グループの表示に割り当てられた表示時間内で行うようにしてもよい。つまり、表示装置１ａは、蛍光表示部１０における表示グループＡの表示と蛍光表示部１０における表示グループＡおよび表示グループＢの表示とを所定周期内で切替える。
【００８３】
具体的に図９を参照しながら説明する。図９は、第２の実施形態に係る表示装置１ａが実行する他の処理手順の概要を示すタイムチャートである。
【００８４】
図９に示すように、表示装置１ａは、表示グループＡの表示を表示グループＢの表示に割り当てられた表示時間（ｂ秒）内でも行う。なお、この例では、両グループＡ，Ｂをともに表示しない期間であるΔｔ秒が設けられている。
【００８５】
このような形態であれば、かかる表示装置１ａは、表示グループＡを表示グループＢよりもより強調して目立つように表示することができる。
【００８６】
また、他の形態としては、表示装置１ａは、優先度が大きい表示グループの表示を複数の優先度の小さい表示グループの表示に割り当てられた表示時間内でも行い、かつ、複数の優先度の小さい表示グループの表示の中で、表示時間の大小を決定してもよい。
【００８７】
具体的に図１０および図１１を参照しながら説明する。図１０は、第２の実施形態に係る表示装置１ａの他の表示方法を示す説明図である。図１１は、第２の実施形態に係る表示装置１ａが実行する他の処理手順の概要を示すタイムチャートである。
【００８８】
ここでは、図１０に示すように、表示装置１ａが「５０」の表示パターンを表示グループＡとし、「ｋｍ/ｈ」の表示パターンを表示グループＢとし、「ＤＥＭＯ」の表示パターンを表示グループＣとして決定した場合について説明する。
【００８９】
図１１に示すように、表示装置１ａは、表示グループＡの表示を表示グループＢの表示に割り当てられた表示時間（ｂ秒）内および表示グループＣの表示に割り当てられた表示時間（ｃ秒）内でも行う。
【００９０】
また、表示装置１ａは、表示グループＢの表示を表示グループＣの表示よりも強調したいため、「表示グループＢの表示時間（ｂ秒）＞表示グループＣの表示時間（ｃ秒）」となるように設定する。なお、この例では、各グループＡ，Ｂ，Ｃをともに表示しない期間であるΔｔ秒が設けられている。
【００９１】
このような形態であれば、かかる表示装置１ａは、表示グループＡをより強調して目立つように表示することができるとともに、表示グループＡ、表示グループＢ、および表示グループＣの順に各表示グループＡ，Ｂ，Ｃの表示を強調させることができる。
【００９２】
なお、上述した第２の実施形態に係る表示装置１ａは、「５０」の表示パターン、「ｋｍ/ｈ」の表示パターン、および「ＤＥＭＯ」の表示パターンにおいても、上述した表示パターン３１から輪郭パターン３２を抽出して表示パターン３１の表示と輪郭パターン３２の表示とを交互に切替える表示方法が適用されている。
【００９３】
したがって、第２の実施形態にかかる表示装置１ａは、蛍光表示部１０に表示される「５０」の表示パターン、「ｋｍ/ｈ」の表示パターン、および「ＤＥＭＯ」の表示パターンの輝度ムラも抑制することができる。
【００９４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９５】
１，１ａ  表示装置
１０      蛍光表示部
２，２ａ  制御部
２０      表示切替部
２１      輪郭抽出部
２２      表示グループ決定部
２３      表示時間設定部
３，３ａ  記憶部
３０      データ
３１      表示パターン
３２      輪郭パターン
３３      表示グループ
【図１】
2017015953.tif 000003
【図２】
2017015953.tif 000004
【図３】
2017015953.tif 000005
【図４】
2017015953.tif 000006
【図５】
2017015953.tif 000007
【図６】
2017015953.tif 000008
【図７】
2017015953.tif 000009
【図８】
2017015953.tif 000010
【図９】
2017015953.tif 000011
【図１０】
2017015953.tif 000012
【図１１】
2017015953.tif 000013